【手続補正書】
【提出日】平成19年10月5日(2007.10.5)
【手続補正１】
【補正対象書類名】明細書
【補正対象項目名】特許請求の範囲
【補正方法】変更
【補正の内容】
【特許請求の範囲】
【請求項１】  光学的干渉パターンを有する第１の表面と、これと対向する第２の表面とを有する光透過性基板と、
前記基板の前記第２の表面上に形成された、入射光の入射角度又は観察角度の変化に伴って観測可能な色ずれを生ぜしめる、色ずれ光学コーティングと、
前記色ずれ光学コーティング上に設けられた接着層と、
を具えることを特徴とする、セキュリティー部品。
【請求項２】  前記基板は、プラスチック材料を含むことを特徴とする、請求項１に記載のセキュリティー部品。
【請求項３】  前記プラスチック材料はポリエチレンテレフタレート、ポリカーボネート、ポリビニルクロライド、ポリアクリレート、ポリアクリロニトリツ、ポリスチレン、ポリプロピレン、セルロースジアセテート、セルローストリアセテート、ポリジシクロペンタジエン、及びこれらの組み合わせより構成される群より選ばれることを特徴とする、請求項２に記載のセキュリティー部品。
【請求項４】  前記光学干渉パターンは、回折格子パターン、屈折パターン、ホログラフィックパターン、角部立方体反射部材、零次元回折パターン、モアレパターン、及びこれらの組み合わせよりなる群から選ばれることを特徴とする、請求項１に記載のセキュリティー部品。
【請求項５】  前記光学干渉パターンは、カイネグラム（Kinegram：登録商標）デバイス及びピクセルグラム（Pixelgram:登録商標）デバイスからなる群より選ばれることを特徴とする、請求項１に記載のセキュリティー部品。
【請求項６】  前記光学干渉パターンは０．１−１０μｍの大きさの微細構造を有する光干渉性パターンであることを特徴とする、請求項１に記載のセキュリティー部品。
【請求項７】  前記色ずれ光学コーティングは、前記基板の、前記第２の表面上に形成された吸収層と、この吸収層上に形成された誘電体層とを含む光学干渉多層膜構造から構成されることを特徴とする、請求項１に記載のセキュリティー部品。
【請求項８】  前記色ずれ光学コーティングは、前記基板の、前記第２の表面上に形成された吸収層と、この吸収層上に形成された誘電体層と、この誘電体層上に形成された反射層とを含む光学干渉多層膜構造から具えることを特徴とする、請求項１に記載のセキュリティー部品。
【請求項９】  前記色ずれ光学コーティングは、前記基板の、前記第２の表面上に形成された第１の吸収層と、この第１の吸収層上に形成された誘電体層と、この誘電体層上に形成された第２の吸収層とを含む光学干渉多層膜構造から構成されることを特徴とする、請求項１に記載のセキュリティー部品。
【請求項１０】  前記色ずれ光学コーティングは、低屈折率誘電体層と高屈折率誘電体層とが交互に積層されてなる、光学干渉多層膜構造から構成されることを特徴とする、請求項１に記載のセキュリティー部品。
【請求項１１】  前記色ずれ光学コーティングは、高分子媒体中に分散した光学干渉多層膜構造片を含むことを特徴とする、請求項１に記載のセキュリティー部品。
【請求項１２】  前記色ずれ光学コーティングは、前記基板の、前記第２の表面上に形成された吸収層と、この吸収層上に形成された誘電体層と、この誘電体層上に形成された剪断層と、この剪断層上に形成された反射層とを含む光学干渉多層膜構造から構成されることを特徴とする、請求項１に記載のセキュリティー部品。
【請求項１３】  前記剪断層は、５０−２００Åの厚さを有することを特徴とする、請求項１２に記載のセキュリティー部品。
【請求項１４】  前記光学干渉パターンと前記色ずれ光学コーティングとを組み合わせることによって、観察角度の変化とともにこれら単体では得ることのできない独自の色を生成することを特徴とする、請求項１に記載のセキュリティー部品。
【請求項１５】  前記色ずれ光学コーティングは、その内部においてレーザアブレーション画像を含むことを特徴とする、請求項１に記載のセキュリティー部品。
【請求項１６】  前記レーザアブレーション画像は、デジタル画像、バーコード、隠蔽データ、及びこれらの組み合わせからなる群より選ばれることを特徴とする、請求項１５に記載のセキュリティー部品。
【請求項１７】  前記色ずれ光学コーティングは、レーザスクライブナンバーを含むことを特徴とする、請求項１に記載のセキュリティー部品。
【請求項１８】  前記色ずれ光学コーティングは、レーザスクライブナンバーを含むことを特徴とする、請求項１５に記載のセキュリティー部品。
【請求項１９】  光学的干渉パターンを有する第１の表面と、これと対向する第２の表面とを有する光透過性基板と、
キャリアシート上に形成されるとともに、前記基板の前記第２の表面上に接着層を介して積層され、入射光の入射角度又は観察角度の変化に伴って観測可能な色ずれを生ぜしめる、色ずれ光学コーティングと、
を具えることを特徴とする、セキュリティー部品。
【請求項２０】  前記光学干渉パターンは、回折格子パターン、屈折パターン、ホログラフィックパターン、角部立方体反射部材、零次元回折パターン、モアレパターン、及びこれらの組み合わせよりなる群から選ばれることを特徴とする、請求項１９に記載のセキュリティー部品。
【請求項２１】  前記光学干渉パターンは、カイネグラム（Kinegram：登録商標）デバイス及びピクセルグラム（Pixelgram:登録商標）デバイスからなる群より選ばれることを特徴とする、請求項１９に記載のセキュリティー部品。
【請求項２２】  前記光学干渉パターンは０．１−１０μｍの大きさの微細構造を有する光干渉性パターンであることを特徴とする、請求項１９に記載のセキュリティー部品。
【請求項２３】  前記色ずれ光学コーティングは、前記キャリアシート上に形成された反射層と、この反射層上に形成された誘電体層と、この誘電体層上に形成された吸収層とを含む光学干渉多層膜構造から構成されることを特徴とする、請求項１９に記載のセキュリティー部品。
【請求項２４】  前記色ずれ光学コーティングは、前記キャリアシート層上に形成された第１の吸収層と、この第１の吸収層上に形成された誘電体層と、この誘電体層上に形成された第２の吸収層とを含む光学干渉多層膜構造から構成されることを特徴とする、請求項１９に記載のセキュリティー部品。
【請求項２５】  前記色ずれ光学コーティングは、低屈折率誘電体層と高屈折率誘電体層とが交互に積層されてなる、光学干渉多層膜構造から構成されることを特徴とする、請求項１９に記載のセキュリティー部品。
【請求項２６】  前記色ずれ光学コーティングは、高分子媒体中に分散した光学干渉多層膜構造片を含むことを特徴とする、請求項１９に記載のセキュリティー部品。
【請求項２７】  前記色ずれ光学コーティングは、前記キャリアシート上に形成された反射層と、この反射層上に形成された剪断層と、この剪断層上に形成された誘電体層と、この誘電体層上に形成された吸収層とを含む光学干渉多層膜構造から構成されることを特徴とする、請求項１９に記載のセキュリティー部品。
【請求項２８】  前記剪断層は、５０−２００Åの厚さを有することを特徴とする、請求項２７に記載のセキュリティー部品。
【請求項２９】  前記色ずれ光学コーティングは、その内部においてレーザアブレーション画像を含むことを特徴とする、請求項１９に記載のセキュリティー部品。
【請求項３０】  前記レーザアブレーション画像は、デジタル画像、バーコード、隠蔽データ、及びこれらの組み合わせからなる群より選ばれることを特徴とする、請求項２９に記載のセキュリティー部品。
【請求項３１】  前記色ずれ光学コーティングは、レーザスクライブナンバーを含むことを特徴とする、請求項１９に記載のセキュリティー部品。
【請求項３２】  前記色ずれ光学コーティングは、レーザスクライブナンバーを含むことを特徴とする、請求項２９に記載のセキュリティー部品。
【請求項３３】  前記基板の、前記第１の表面上において隠蔽抵抗層を具えることを特徴とする、請求項２９に記載のセキュリティー部品。
【請求項３４】  前記隠蔽抵抗層は、酸化インジウムスズ、酸化インジウム、酸化カドミウムスズ、及びこれらの組み合わせからなる群より選ばれる透明導電性材料から構成されることを特徴とする、請求項３３に記載のセキュリティー部品。
【請求項３５】  光学的干渉パターンを有する第１の表面と、これと対向する第２の表面とを有する光透過性基板と、
キャリアシート上に形成されるとともに、前記基板の前記第１の表面上に接着層を介して積層され、入射光の入射角度又は観察角度の変化に伴って観測可能な色ずれを生ぜしめる、色ずれ光学コーティングと、
を具えることを特徴とする、セキュリティー部品。
【請求項３６】  前記光学干渉パターンは、回折格子パターン、屈折パターン、ホログラフィックパターン、角部立方体反射部材、零次元回折パターン、モアレパターン、及びこれらの組み合わせよりなる群から選ばれることを特徴とする、請求項３５に記載のセキュリティー部品。
【請求項３７】  前記光学干渉パターンは、カイネグラム（Kinegram：登録商標）デバイス及びピクセルグラム（Pixelgram:登録商標）デバイスからなる群より選ばれることを特徴とする、請求項３５に記載のセキュリティー部品。
【請求項３８】  前記光学干渉パターンは０．１−１０μｍの大きさの微細構造を有する光干渉性パターンであることを特徴とする、請求項３５に記載のセキュリティー部品。
【請求項３９】  前記色ずれ光学コーティングは、前記キャリアシート上に形成された反射層と、この反射層上に形成された誘電体層と、この誘電体層上に形成された吸収層とを含む光学干渉多層膜構造から構成されることを特徴とする、請求項３５に記載のセキュリティー部品。
【請求項４０】  前記色ずれ光学コーティングは、前記キャリアシート層上に形成された第１の吸収層と、この第１の吸収層上に形成された誘電体層と、この誘電体層上に形成された第２の吸収層とを含む光学干渉多層膜構造から構成されることを特徴とする、請求項３５に記載のセキュリティー部品。
【請求項４１】  前記色ずれ光学コーティングは、低屈折率誘電体層と高屈折率誘電体層とが交互に積層されてなる、光学干渉多層膜構造から構成されることを特徴とする、請求項３５に記載のセキュリティー部品。
【請求項４２】  前記色ずれ光学コーティングは、高分子媒体中に分散した光学干渉多層膜構造片を含むことを特徴とする、請求項３５に記載のセキュリティー部品。
【請求項４３】  前記色ずれ光学コーティングは、その内部においてレーザアブレーション画像を含むことを特徴とする、請求項３５に記載のセキュリティー部品。
【請求項４４】  前記色ずれ光学コーティングは、レーザスクライブナンバーを含むことを特徴とする、請求項３５に記載のセキュリティー部品。
【請求項４５】  前記色ずれ光学コーティングは、レーザスクライブナンバーを含むことを特徴とする、請求項４３に記載のセキュリティー部品。
【請求項４６】  前記基板の、前記第２の表面上において隠蔽抵抗層を具えることを特徴とする、請求項４３に記載のセキュリティー部品。
【請求項４７】  光透過性キャリアシートと、
前記キャリアシート上に形成され、入射光の角度又は観察角度の変化に伴って、観察可能な色ずれを生ぜしめる色ずれ光学コーティングと、
前記色ずれ光学コーティング中に形成された、レーザアブレーション画像及び／又はレーザスクライブナンバーと、
を具えることを特徴とする、色ずれ予備積層構造。
【請求項４８】  前記レーザアブレーション画像は、デジタル画像、バーコード、隠蔽データ、及びこれらの組み合わせからなる群より選ばれることを特徴とする、請求項４７に記載の色ずれ予備積層構造。
【請求項４９】  光学的干渉パターンを有する第１の表面と、これと対向する第２の表面とを有する光透過性基板と、
前記基板の前記第１の表面上に形成された、入射光の入射角度又は観察角度の変化に伴って観測可能な色ずれを生ぜしめる、色ずれ光学コーティングと、
を具えることを特徴とする、セキュリティー部品。
【請求項５０】  前記基板の、前記第２の表面上において接着層を具えることを特徴とする、請求項４９に記載のセキュリティー部品。
【請求項５１】  前記色ずれ光学コーティングは、前記基板の、前記第１の表面上に形成された反射層と、この反射層上に形成された誘電体層と、この誘電体層上に形成された吸収層とを含む光学干渉多層膜構造から構成されることを特徴とする、請求項４９に記載のセキュリティー部品。
【請求項５２】  前記色ずれ光学コーティングは、前記基板の、前記第１の表面に形成された第１の吸収層と、この第１の吸収層上に形成された誘電体層と、この誘電体層上に形成された第２の吸収層とを含む光学干渉多層構造から構成されることを特徴とする、請求項４９に記載のセキュリティー部品。
【請求項５３】  前記色ずれ光学コーティングは、低屈折率材料層と高屈折率材料層とが交互に積層されてなる光学干渉多層構造から構成されることを特徴とする、請求項４９に記載のセキュリティー部品。
【請求項５４】  ホログラフィックパターン又は回折パターンを有する第１の表面を有するマスターシムを得る工程と、
前記マスターシムの前記第１の表面上において、前記ホログラフィックパターン又は前記回折パターンの形状と合致するようにして、色ずれ光学コーティングを形成する工程と、
前記色ずれ光学コーティングに対してキャリア基板層を付着する工程と、
前記色ずれ光学コーティング及び前記キャリア基板層を前記マスターシムから除去して、前記ホログラフィックパターン又は前記回折パターンを有するセキュリティー部品を作製する工程とを含み、
前記色ずれ光学コーティングは、入射光の入射角度又は観察角度の変化に伴って、前記セキュリティー部品に対して観測可能な色ずれを付与することを特徴とする、セキュリティー部品の作製方法。
【請求項５５】  前記マスターシムは、ニッケル、スズ、クロム、及びこれらの組み合わせからなる群より選ばれることを特徴とする、請求項５４に記載のセキュリティー部品の作製方法。
【請求項５６】  前記色ずれ光学コーティングは、２つの吸収層間に挿入された誘電体層を含む光学干渉多層膜構造から構成されることを特徴とする、請求項５４に記載のセキュリティー部品の作製方法。
【請求項５７】  前記色ずれ光学コーティングは、吸収層と、誘電体層と、反射層とを含む光学干渉多層膜構造から構成されることを特徴とする、請求項５４に記載のセキュリティー部品の作製方法。
【請求項５８】  前記色ずれ光学コーティングは、低屈折率材料層と高屈折率材料層とが交互に積層されてなる光学干渉多層構造から構成されることを特徴とする、請求項５４に記載のセキュリティー部品の作製方法。
【請求項５９】  前記色ずれ光学コーティングは、物理的蒸着方法によって形成されることを特徴とする、請求項５４に記載のセキュリティー部品の作製方法。
【請求項６０】  前記キャリア基板層はプラスチックシートを含むことを特徴とする、請求項５４に記載のセキュリティー部品の作製方法。
【請求項６１】  前記セキュリティー部品を所定の物体に対して接着固定する工程を含むことを特徴とする、請求項５４に記載のセキュリティー部品の作製方法。
【請求項６２】  前記接着は、圧力感応性の接着剤を用いて行うことを特徴とする、請求項６１に記載のセキュリティー部品の作製方法。
【請求項６３】  前記物体は、セキュリティー文書、通過、クレジットカード、ＩＤカード、パスポート、商品包装からなる群より選ばれることを特徴とする、請求項６１に記載のセキュリティー部品の作製方法。
【請求項６４】  請求項５４に記載の方法によって作製されたセキュリティー部品。
【請求項６５】  所定の光学干渉積層体中において、ホログラフィックパターン又は回折パターンを具えることを特徴とする、セキュリティー部品。
【請求項６６】  キャリアシートと、
前記キャリアシート上に形成された剥離層と、
前記剥離層上に形成され、光学干渉パターンを具える光透過性基板と、
前記光透過性基板上に形成され、入射光の入射角度又は観察角度の変化に応じて観察可能な色ずれを生ぜしめる色ずれ光学コーティングと、
前記色ずれ光学コーティング上に形成された接着層と、
を具えることを特徴とする、セキュリティー部品を所定の物体に取付けるためのホットスタンプ構造体。
【請求項６７】  前記キャリアシートはプラスチック材料を含むことを特徴とする、請求項６６に記載のホットスタンプ構造体。
【請求項６８】  前記剥離層は、ポリビニルクロライド、ポリスチレン、塩素化処理ゴム、アクリルニトリルブタジエンスチレン共重合体、ニトロセルロース、メチルメタクリレート、アクリル共重合体、脂肪酸、ワックス、ガム、ジェル、及びこれらの組み合わせからなる群より選ばれることを特徴とする、請求項６６に記載のホットスタンプ構造体。
【請求項６９】  前記色ずれ光学コーティングは、２つの吸収層間に誘電体層を含む光学干渉多層膜構造から構成されることを特徴とする、請求項６６に記載のホットスタンプ構造体。
【請求項７０】  前記色ずれ光学コーティングは、吸収層と、この吸収層に隣接した誘電体層と、この誘電体層に隣接した反射層を含む光学干渉多層膜構造から構成されることを特徴とする、請求項６６に記載のホットスタンプ構造体。
【請求項７１】  前記色ずれ光学コーティングは、低屈折率材料と高屈折率材料とが交互に積層されてなる光学干渉多層膜構造から構成されることを特徴とする、請求項６６に記載のホットスタンプ構造体。
【請求項７２】  前記色ずれ光学コーティングは、高分子媒体中に分散された光学干渉多層膜構造片を含むことを特徴とする、請求項６６に記載のホットスタンプ構造体。
【請求項７３】  前記色ずれ光学コーティングは、その内部においてレーザアブレーション画像を含むことを特徴とする、請求項６６に記載のホットスタンプ構造体。
【請求項７４】  前記色ずれ光学コーティングは、レーザスクライブナンバーを含むことを特徴とする、請求項６６に記載のホットスタンプ構造体。
【請求項７５】  前記色ずれ光学コーティングは、レーザスクライブナンバーを含むことを特徴とする、請求項７３に記載のホットスタンプ構造体。
【請求項７６】  前記接着層は、アクリル系高分子、エチレンビニルアセテート、ポリアミド、及びこれらの組み合わせを含む熱活性接着剤であることを特徴とする、請求項６６に記載のホットスタンプ構造体。
【請求項７７】  前記接着層はＵＶ活性接着剤を含むことを特徴とする、請求項６６に記載のホットスタンプ構造体。
【請求項７８】  キャリアシートと、このキャリアシート上に形成された剥離層と、この剥離層上に形成され、光学干渉パターンを有する光透過性基板と、この光透過性基板上に形成され、入射光の入射角度の変化又は観察角度の変化に伴って、観察可能な色ずれを生ぜしめる色ずれ光学コーティングと、この色ずれ光学コーティング上に形成された熱活性接着層とを具えたホットスタンプ構造体を準備する工程と、
前記ホットスタンプ構造体を、接着可能な温度にまで加熱された物体に対して押圧する工程と、
前記キャリアシートを前記光透過性基板から剥離して、前記物体に取付けられたセキュリティー部品を露出させる工程と、
を含むことを特徴とする、セキュリティー部品の物体への取り付け方法。
【請求項７９】
基板と、
前記基板表面上に直接的に、または、前記基板に隣接する光学コーティング上に、回折格子パターンを有する回析格子と、
前記回折格子直上の色ずれ光学コーティングであって、前記回折格子に隣接した前記色ずれ光学コーティングの層を、前記回折格子パターンに一致させることにより、前記回折格子パターンを前記色ずれ光学コーティング内に複製し、前記色ずれ光学コーティングは、入射光の入射角度または観察角度の変化に伴って観測可能な色ずれを付与するために、吸収層、誘電体層および反射層を有し、それによって、前記部品に光を照射したとき、前記色ずれ光学コーティングから反射された入射光から第１の視覚効果を生じ、前記色ずれ光学コーティングから反射される光、および、前記回折格子から回折される光の間の相互作用による第２の視覚効果を生じる、色ずれ光学コーティングと
を備えることを特徴とするセキュリティ部品。
【請求項８０】
基板と、
前記基板上に配置され、または、基板により支持される回析格子と、
前記回折格子を通して可視の前記基板により支持された色ずれ光学コーティングであって、入射光の入射角度または観察角度の変化に伴って観測可能な色ずれを付与するために、吸収層、誘電体層および反射層を有し、それによって、前記反射層または前記回折格子を分割する、色ずれ光学コーティングと
を備えることを特徴とするセキュリティ部品。
【請求項８１】
前記反射層は分割されていることを特徴とする請求項８０に記載のセキュリティ部品。